(57)【要約】      （修正有）【課題】隣接するゾーンにおいて、同一チャネルを使用できるようにして、周波数利用効率を大幅に改善する。【解決手段】送信側では、被変調波を、数個以下の複数の周波数から構成される局部発振波により周波数変換する。複数の周波数の切り替わる間隔及び順番を前もって定め、それらの周波数の最大周波数間隔を、ベースバンドの占有帯域幅の数倍以内とする。それらの周波数を受信側ベースバンド回路の占有帯域幅を１／τＨｚとしたとき、τ秒より十分短い間隔で切り替え、局部発振波により周波数変換して送信する。受信側では、受信波を直接又は周波数変換して、複数の周波数の最大周波数間隔にベースバンドの占有帯域幅を加算した通過帯域幅でろ波し、乗算回路に入力し、送信側局部発振波の切り替わる周期と同期した受信側局部発振波によって周波数変換する。【選択図】図１
2015171136.tif 000002
【特許請求の範囲】
【請求項１】
周波数分割多元接続（ＦＤＭＡ）方式を使用する無線通信方式及び無線機において、送信側では、信号によって変調された被変調波を、数個以下の複数の周波数から構成され、それらの周波数、周波数の切り替わる間隔及び順番は前もって定められており、それらの周波数の最大周波数間隔は、通常ベースバンドの占有帯域幅の数倍以内であり、さらに、受信側ベースバンドの通過帯域幅を１／τＨｚとしたときτ秒より十分短い間隔で切り替わる局部発振波により周波数変換し、直接又はさらに周波数変換して送信する手段と、  受信側では、受信波を直接又は周波数変換して、通常前記複数の周波数の最大周波数間隔にベースバンドの占有帯域幅を加算した通過帯域幅を具備する帯域通過ろ波回路に入力し、その出力を乗算回路に入力し、前記乗算回路において送信側と同じ周波数間隔の複数の周波数で構成され、それらの周波数が切り替わる周期が、送信側局部発振波の切り替わる周期と同期した受信側局部発振波によって周波数変換する手段を有し、  周波数分割された各チャネルにおいて、前記複数の局部発振波の周波数を異なるように設定することによって、同一場所において同時に同一のチャネルを使用できるようにしたことを特徴とする無線通信方式及び無線機
【請求項２】
請求項１の無線通信方式及び無線機において、複数の局部発振周波数の周波数の切り替わる間隔を異なるように設定することによって、同一場所において同時に同一のチャネルを使用できるようにしたことを特徴とする無線通信方式及び無線機
【発明の詳細な説明】
【技術分野】
【０００１】  本発明は、情報データを送受信する無線通信方式及びそのための無線機に関する。
【背景技術】
【０００２】  携帯電話においては、スマートフォン等によるインターネットの接続が多くなる一方、加入台数も増加し、電波の使用が非常に多くなっている。  また、携帯電話においての電波の使用が非常に多くなっている一方、他の用途においても電波使用の要求が多くなっている。そのため、周波数利用効率の良い方式が多く使われてきているが、まだ不十分で、さらなる周波数利用効率の良い方式が求められている。  一方、通常同じ中心周波数の搬送波が、入力レベルに大きな差がなく受信側に入力された場合は、互いに干渉して通信できなくなる。これにより、ゾーン毎に周波数割り当てを行う場合、隣接するゾーンに同じ中心周波数の搬送波を使用できない。これは、電波の使用に大きな制約をかけて、電波の不足を生じさせている大きな原因の一つとなっている。
【発明が解決しようとする課題】
【０００３】  搬送波に通常では存在しないような変形を施し、その変形の形を希望波と非季望波とで異なるように設定すれば、希望波と非季望波との判別が容易となり、希望波のみを抽出できるようになる。同じチャネルの搬送波が、入力レベルに大きな差がなく受信側に入力された場合においても、非希望波は除去され、干渉は生じなく、同じチャネルの搬送波を同一地域で同時に使用できることになる。
【課題を解決する為の手段】
【０００４】  周波数分割多元接続（ＦＤＭＡ）方式を使用するシステムにおいて、送信側では、信号によって変調された被変調波を、数個以下の複数の周波数から構成される局部発振波により周波数変換する。前記複数の周波数の切り替わる間隔及び順番を前もって定め、それらの周波数の最大周波数間隔を、ベースバンドの占有帯域幅の数倍以内とする。  さらに、それらの周波数を受信側ベースバンド回路の占有帯域幅を１／τＨｚとしたとき、τ秒より十分短い間隔で切り替へる。前記局部発振波により周波数変換した後、直接又はさらに周波数変換して送信する。  受信側では、受信波を直接又は周波数変換して、通常前記複数の周波数の最大周波数間隔にベースバンドの占有帯域幅を加算した通過帯域幅を具備する帯域通過ろ波回路に入力する。その出力を乗算回路に入力し、前記乗算回路において送信側と同じ周波数間隔の複数の周波数で構成され、それらの周波数が切り替わる周期が、送信側局部発振波の切り替わる周期と同期した受信側局部発振波によって周波数変換する。  前記無線通信方式及び無線機を使用する地域をゾーンに分けて、少なくとも隣接するゾーンの前記複数の局部発振周波数の周波数を異なるように設定することによって、全ゾーン及び全地域において同時に同一のチャネルを使用できるようにする。
【０００５】  請求項２では、各ゾーンにおいて前記複数の局部発振周波数を異なるように設定するのみでなく、切り替わる間隔を異なるように設定することによって、各ゾーンにおいて同時に同一のチャネルを複数回線使用できるようにすることと、前記複数の局部発振周波数の数を少なくして、ゾーンの数を多くできるようにする。
【発明の効果】
【０００６】  本発明は、以上説明したように構成されているので、以下に記載されているような効果を奏する。
【０００７】  現行の携帯電話のシステムのように、ゾーン毎に周波数割り当てを行う場合、隣のゾーンには同じ周波数の搬送波は使用できないが、前記複数の局部発振波の周波数又は切り替わる間隔をゾーン毎に変えることにより、同じ周波数の搬送波を隣のゾーンにも使用できる。さらに、全ての地域をゾーン、周波数によっては国ごとに前記複数の局部発振波の周波数、切り替わる間隔又は両方を異なるように設定すれば、ゾーン毎に全ての周波数を同時に使用できる。  これにより、周波数利用効率が大幅に改善される。
【０００８】  中心周波数が同一の２つの搬送波により、狭帯域の信号と広帯域の信号を、同一受信機で同時に受信できる。  これにより、さらに周波数利用効率が大幅に改善される。
【０００９】  スペクトラム拡散を行っているが、ホッピングによる拡散であるため、電力スペクトラムの広がりは、ホッピングした周波数の周りのみで、その幅はベーバンドの帯域幅と同じ幅となっている。従って、１チャネル当たりに要する帯域幅は、ホッピング周波数の最大間隔にベーバンドの帯域幅を加えた幅となるので、ホッピング周波数の最大間隔を狭くすれば、前記乗算回路に入力される雑音及び妨害波は非常に少なくなる。さらに、外部雑音、内部雑音及び妨害波は、前記乗算回路によりベースバンド回路の帯域外に拡散される。従って、雑音及び妨害波の影響は問題とならない程度まで少なくできる。
【００１０】  前記［０００９］に記載しているように、外部雑音及び内部雑音は前記乗算回路によりベースバンド回路の帯域外に拡散されるので、外部雑音及び内部雑音は、ベースバンド回路にほとんど入力されない。従って、受信回路の利得を大きくすることができ、受信感度を大幅に改善出来る。
【００１１】  前記［０００９］に記載しているように、雑音及び妨害波による影響を非常に少なく出来るので、コード分割多元接続（ＣＤＭＡ）方式のシステムと共存できる。
【００１２】  前記［０００９］に記載しているように、雑音及び妨害波による影響を非常に少なく出来、電力スペクトラムの幅も狭いので、緩衝用周波数帯で使用できる。
【００１３】  前記［０００９］に記載しているように、受信回路の利得を大きくすることができ、受信感度を大幅に改善出来るので、送信出力はより小さくてよく、装置の低価格化及び小型化が可能となる。微弱電波で使用すると、到達距離を大きく伸ばすことができる。
【００１４】  通常の周波数ホッピング方式においては、秘匿に使用するため、ホッピングする周波数を多くする必要がある。そのため、発振回路は一つで、発振周波数を変えているので切り替える時間が長くなっている。しかし、本考案では、秘匿に使用するのが目的ではないので、ホッピングする周波数の数は少なくてよい。ホッピングに使用する周波数は、常時発振させておく専用の発振回路から出力され、前記発振回路の出力を切り替えることによりホッピング周波数を変えているため、切り替える時間を非常に短くできる。従って、通過帯域幅を広くすることができ、より高速のデータ伝送が可能となっている。発振回路の数は多くなっているが、通常４個以下であり、高価で大きさの大きい高安定度の発振回路は、他の方式同様１個のみであるので、装置の価格及び大きさには問題ない。
【発明を実施する為の最良の形態】
【００１５】  図１は、本発明の無線機の全体構成を示す図である。
【００１６】  図１において、シンセサイザ回路１は、第１局部発振波ｆＬ１及び複数の第２局部発振波ｆＬ２１、ｆＬ２２及びｆＬ２３を出力する。通常、第１局部発振波ｆＬ１はチャネル毎に変化し、第２局部発振波ｆＬ２１、ｆＬ２２及びｆＬ２３はゾーン毎に変化する。
【００１７】  ベースバンド回路２は、入力された信号によって搬送波を変調し、前もって定められた占有帯域幅より外に漏れる電力を一定以下として、ベースバンド回路２の出力ｆｂを乗算回路４に出力する。
【００１８】  切換回路３は複数の第２局部発振波ｆＬ２１、ｆＬ２２及びｆＬ２３を定められた周期で切り替えて、その出力（ｆｂ＋ｆＬ２１；ｆＬ２２；ｆＬ２３）（ｆＬ２１；ｆＬ２２；ｆＬ２３はｆＬ２１、ｆＬ２２及びｆＬ２３が切り替わることを意味する）を乗算回路４に出力する。ゾーンをさらに細かく分割する場合等においては、前記第２局部発振波ｆＬ２１、ｆＬ２２及びｆＬ２３の切り替わる周期を変える場合もある。前記第２局部発振波ｆＬ２１、ｆＬ２２及びｆＬ２３の切り替わる周期は、受信側ベースバンドの通過帯域幅を１／τＨｚとしたときτ秒より十分短い時間とする。通過帯域幅を２０ｋＨｚとした場合の前記切り替わる周期は、通常２μｓ程度となる。
【００１９】  乗算回路４においては、ベースバンド回路の出力と前記第２局部発振波ｆＬ２１、ｆＬ２２又はｆＬ２３との和と差を帯域通過ろ波回路５に出力する。
【００２０】  帯域通過ろ波回路５においては、前記ベースバンド回路の出力と第２局部発振波ｆＬ２１、ｆＬ２２又はｆＬ２３との和を抽出して、周波数変換回路６に出力する。
【００２１】  周波数変換回路６においては、シンセサイザ回路１からの出力（第１局部発振波ｆＬ１）と前記帯域通過ろ波回路５からの出力（ｆｂ＋ｆＬ２１；ｆＬ２２；ｆＬ２３）を混合して前記２波の和と差の周波数を発生させる。その出力を帯域通過ろ波回路７に出力する。
【００２２】  帯域通過ろ波回路７においては、前記周波数変換回路６の出力の和の周波数を抽出してその出力を電力増幅回路８に出力する。
【００２３】  電力増幅回路８においては、その入力を前もって指定された電力まで増幅して、帯域通過ろ波回路９、アンテナ切換回路１０及びアンテナ１１を介して送信波を送出する。
【００２４】  受信入力は、アンテナ１１、アンテナ切換回路１０、帯域通過ろ波回路１２及び高周波増幅回路１３を介して周波数変換回路１４に入力される。帯域通過ろ波回路１２の通過帯域幅は、通常、第１局部発振波ｆＬ１の変化する幅に、第２局部発振波ｆＬ２１、ｆＬ２２及びｆＬ２３の変化する幅を加えた幅を必要とする。
【００２５】  周波数変換回路１４においては、シンセサイザ回路１からの出力、第１局部発振波ｆＬ１と前記高周波増幅回路１３の出力とを混合して、前記２つの出力の和と差を帯域通過ろ波回路１５に出力する。
【００２６】  帯域通過ろ波回路１５においては、前記２つの出力の差を抽出して乗算回路１７に出力する。帯域通過ろ波回路１５の通過帯域幅は、第２局部発振波ｆＬ２１、ｆＬ２２及びｆＬ２３が通過するに足る帯域幅を必要とする。通常、ベースバンド回路の占有帯域幅ｆｗの７倍程度に設定する。
【００２７】  乗算回路１７においては、切換回路１６からの出力（ｆＬ２１；ｆＬ２２；ｆＬ２３）と帯域通過ろ波回路１５の出力（ｆｂ＋ｆＬ２１；ｆＬ２２；ｆＬ２３）との和と差の出力を発生させる。  ここで、切換回路１６からの出力（ｆＬ２１；ｆＬ２２；ｆＬ２３）と同期の取れない入力は、高速で変化する雑音となる。前記雑音の大部分は、ベースバンド回路の帯域通過ろ波回路によって除去される。従って、同じチャネルの入力でも、第２局部発振波ｆＬ２１、ｆＬ２２及びｆＬ２３の異なる入力は同期が取れなく、ベースバンド回路に入力されないため、干渉は生じなく、同じチャネルを同時に使用できることになる。
【００２８】  切換回路１６においては、シンセサイザ回路からの出力ｆＬ２１、ｆＬ２２及びｆＬ２３を前もって定められた間隔で切り替える。前記間隔、間隔の比率及び切り替わる順番を切換制御信号によって制御する。帯域通過ろ波回路１５の出力（ｆｂ＋ｆＬ２１；ｆＬ２２；ｆＬ２３）及び第２局部発振波ｆＬ２１、ｆＬ２２及びｆＬ２３の２つの信号の同期をとるのもこの信号によって行う。
【００２９】  帯域通過ろ波回路１８においては、乗算回路１７からの出力、切換回路１６からの出力（ｆＬ２１；ｆＬ２２；ｆＬ２３）と帯域通過ろ波回路１５の出力（ｆｂ＋ｆＬ２１；ｆＬ２２；ｆＬ２３）との差の出力ｆｂを抽出して、ベースバンド回路１９に出力する。
【００３０】  ベースバンド回路１９においては、復調して受信出力を出力する。
【００３１】  図２は、ゾーン配置の１例である。
【００３２】  図２において、Ａ、Ｂ，Ｃ，Ｄ，Ｅ，Ｆ及び，Ｇゾーンの各ゾーンの第２局部発振波ｆＬ２１、ｆＬ２２及びｆＬ２３は異なるように設定してある。本図においては、１ゾーン毎に同じ種類のゾーンが来ているが、干渉が起きる場合はゾーンの種類を多くするか、切り替える周期を変えることによって、干渉を起こさせないように出来る。
【００３３】  表１は、複数の局部発振波の１例である。
【００３４】  表１の複数の局部発振波の周波数は、主にベースバンド回路の周波数及び第１局部発振波の周波数によって決められる。前記複数の局部発振波の周波数の間隔は、通常ある周波数の整数倍となっている。表１ではチャネル間隔の１／２（１０ｋＨｚ）となっている。
【実施例】
【００３５】  ベースバンドの中心周波数を１０ＭＨｚ，占有帯域幅を２０ｋＨｚ、帯域通過ろ波回路１５の中心周波数を６０ＭＨｚ，第１局部発振波の周波数を８００ＭＨｚとすれば、このチャネルの公称周波数は８６０ＭＨｚとなり、両隣のチャネルの周波数は、８５９．９８ＭＨｚと８６０．０２ＭＨｚとなる。このチャネルの第２局部発振波ｆＬ２１、ｆＬ２２及びｆＬ２３を表１によって設定すると、Ａゾーンで使用する場合の入出力の周波数は、８００＋１０＋５０．０６；５０．００；５０．０５ＭＨｚとなり、隣のＢゾーンに行くと、８００＋１０＋５０．０５；４９．９９；５０．０４ＭＨｚとなる。同じチャネルであるが、ゾーンによって第２局部発振波の周波数が異なるため、異なるゾーンの入力は同期が取れず、ベースバンド回路には入力しないので、互いに干渉はしない。従って、同一のチャネルを隣接するゾーンで使用できることになる。
【産業上の利用可能性】
【００３６】  本発明の無線通信方式及び無線機は、基本的な通信方式であるので、ラジコンから放送機器・通信機器までの短波帯以上の大部分の通信方式及び無線機に利用することができる。
【図面の簡単な説明】
【図１】無線機の全体構成を示す図である。
【図２】ゾーン配置例の全体構成を示す図である。
【図３】局部発振周波数ｆＬ２１、ｆＬ２２、ｆＬ２３の例を示す表である。
【符号の説明】１  シンセサイザ回路２、１９、ベースバンド回路３、１６  切換回路４、１７、乗算回路５、７，９，１２，１５，１８、  帯域通過ろ波回路６，１４、周波数変換回路８  電力増幅回路１０  アンテナ切換回路１１  アンテナ１３  高周波増幅回路
【図１】
2015171136.tif 000003
【図３】
2015171136.tif 000004
【図２】
2015171136.tif 000005
【手続補正書】
【提出日】平成26年10月27日(2014.10.27)
【手続補正１】
【補正対象書類名】特許請求の範囲
【補正対象項目名】請求項１
【補正方法】変更
【補正の内容】
【請求項１】
周波数分割多元接続（ＦＤＭＡ）方式を使用する無線通信方式及び無線機において、使用する周波数帯を同一の占有帯域幅を有するチャネルに分割し、送信側では、信号によって変調された被変調波を、発振源を同一とする数個の発振回路から出力された数個以下の複数の周波数から構成され、それらの周波数、周波数の切り替わる間隔及び順番は前もって定められており、それらの周波数の最大周波数間隔は、通常ベースバンドの占有帯域幅の数倍以内であり、さらに、受信側ベースバンドの通過帯域幅を１／τＨｚとしたときτ秒より十分短い間隔で切り替わる局部発振波により周波数変換し、直接又はさらに周波数変換して送信する手段と、
受信側では、受信波を直接又は周波数変換して、通常前記複数の周波数の最大周波数間隔にベースバンドの占有帯域幅を加算した通過帯域幅を具備する帯域通過ろ波回路に入力し、その出力を乗算回路に入力し、前記乗算回路において送信側と同じ周波数間隔の複数の周波数で構成され、それらの周波数が切り替わる周期が、送信側局部発振波の切り替わる周期と同期した受信側局部発振波によって周波数変換する手段を有し、
前記複数の局部発振波の周波数によって使用するチャネルを設定し、前記複数の周波数を使用するチャネルを一つの複合チャネルとし、周波数、周波数の切り替わる間隔、周波数の切り替わる順番又は周波数、周波数の切り替わる間隔及び周波数の切り替わる順番の組み合わせを異なるように設定することによって、同一場所において同時に同一の前記複合チャネルを前記複数の数の数倍の通信路で使用できるようにしたことを特徴とする無線通信方式及び無線機
【手続補正２】
【補正対象書類名】特許請求の範囲
【補正対象項目名】請求項２
【補正方法】変更
【補正の内容】
【請求項２】
請求項１の無線通信方式及び無線機において、ゾーン毎に複数の局部発振周波数の周波数、周波数の切り替わる間隔、周波数の切り替わる順番又は周波数、周波数の切り替わる間隔及び周波数の切り替わる順番の組み合わせを異なるように設定することによって、隣接するゾーンにおいて同時に同一の前記複合チャネルを使用できるようにしたことを特徴とする無線通信方式及び無線機
【手続補正３】
【補正対象書類名】明細書
【補正対象項目名】０００２
【補正方法】変更
【補正の内容】
【０００２】  携帯電話においては、スマートフォン等によるインターネットの接続が多くなる一方、加入台数も増加し、電波の使用が非常に多くなっている。
また、携帯電話においての電波の使用が非常に多くなっている一方、他の用途においても電波使用の要求が多くなっている。そのため、周波数利用効率の良い方式が多く使われてきているが、まだ不十分で、さらなる周波数利用効率の良い方式が求められている。
一方、通常同じ中心周波数の搬送波が、入力レベルに大きな差がなく受信側に入力された場合は、互いに干渉して通信できなくなる。これにより、ゾーン毎に周波数割り当てを行う場合、隣接するゾーンに同じ中心周波数の搬送波を使用できない。これは、電波の使用に大きな制約をかけて、電波の不足を生じさせている大きな原因の一つとなっている。
同じ中心周波数の搬送波を使用できる方式として、符号分割多元接続（ＣＤＭＡ）方式があるが、１チャネルに広帯域の周波数帯域を必要とするので、通常のＦＤＭＡ方式に与えられる帯域幅では使用できない。
【手続補正４】
【補正対象書類名】明細書
【補正対象項目名】０００３
【補正方法】変更
【補正の内容】
【０００３】搬送波を複数使用し、送信側でそれらを一定の間隔で高速に切り替え、受信側では送信側の切り替わる間隔に同期させて、位相を検出して周波数の逆変換を行えば、周波数が同一であっても、希望波と非季望波との判別が可能となり、希望波のみを抽出できるようになる。同じ周波数の搬送波が、入力レベルに大きな差がなく受信側に入力された場合においても、切り替わる間隔が異なる非希望波は、位相が合わず拡散され除去される。従って、干渉は生じなく、同じチャネルの搬送波を同一地域で同時に使用できることになる。チャネルを複数使用することになるが、チャネルを重複して使用し、さらに前記複合チャネル（以降ホッピングチャネルと称する）において複数の通信路を使用出来れば問題ない。
前記方法は、一種の周波数ホッピング方式である。しかし、現行の周波数ホッピング方式は主に秘匿方式として使用されており、切換に要する時間が長くなっているため、ホッピングした周波数が他の機器の希望波になっている場合、他の危機に干渉を起こす場合が生じる。従って、切換に要する時間を受信側ベースバンドの通過帯域幅を１／τＨｚとしたときτ秒より十分短い時間にする必要がある。
先行技術文献として、本願発明者が出願した下記文献がある。
文献１  公開２０１４−４５４６９
上記文献においては、前記切換に要する時間を受信側ベースバンドの通過帯域幅を１／τＨｚとしたときτ秒より十分短い時間にしているが、目的は雑音等の妨害波を取り除くことであるので、同一システム内においては、無条件で受信できるようにしておく必要がある。従って、切り替わる周波数及び切り替わる間隔を、一つのシステムの中では同一とする必要がある。これにより、このままでは本考案には使用できない。
【手続補正５】
【補正対象書類名】明細書
【補正対象項目名】０００４
【補正方法】変更
【補正の内容】
【０００４】周波数分割多元接続（ＦＤＭＡ）方式を使用するシステムにおいて、使用する周波数帯を同一の占有帯域幅を有するチャネルに分割し、送信側では、信号によって変調された被変調波を、発振源を同一とする数個の発振回路から出力された数個以下の複数の周波数から構成される局部発振波により周波数変換する。前記複数の周波数の切り替わる間隔及び順番を前もって定め、それらの周波数の最大周波数間隔を、ベースバンドの占有帯域幅の数倍以内とする。
さらに、それらの周波数を受信側ベースバンド回路の占有帯域幅を１／τＨｚとしたとき、τ秒より十分短い間隔で切り替へる。前記局部発振波により周波数変換した後、直接又はさらに周波数変換して送信する。
受信側では、受信波を直接又は周波数変換して、通常前記複数の周波数の最大周波数間隔にベースバンドの占有帯域幅を加算した通過帯域幅を具備する帯域通過ろ波回路に入力する。その出力を乗算回路に入力し、前記乗算回路において送信側と同じ周波数間隔の複数の周波数で構成され、それらの周波数が切り替わる周期が、送信側局部発振波の切り替わる周期と同期した受信側局部発振波によって周波数変換する。
前記複数の局部発振波の周波数によって使用するチャネルを設定し、前記複数の使用するチャネルを一つホッピングチャネルとし、前記複数の周波数、それらの周波数の切り替わる間隔、それらの周波数の切り替わる順番又は周波数、周波数の切り替わる間隔及び周波数の切り替わる順番の組み合わせを異なるように設定することによって、同一場所において同時に前記周波数の数の数倍の通信路を同一のホッピングチャネルにおいて使用できるようにした。
【手続補正５】
【補正対象書類名】明細書
【補正対象項目名】０００５
【補正方法】変更
【補正の内容】
【０００５】請求項１の無線通信方式及び無線機において、ゾーン毎に複数の局部発振波の周波数、それらの周波数の切り替わる間隔、それらの周波数の切り替わる順番又は周波数と周波数の切り替わる間隔及び周波数の切り替わる順番の組み合わせを異なるように設定することによって、隣接するゾーンにおいて同時に同一のホッピングチャネルを使用できるようにした。
【手続補正６】
【補正対象書類名】明細書
【補正対象項目名】０００７
【補正方法】変更
【補正の内容】
【０００７】ゾーン毎に複数の局部発振波の周波数、それらの周波数の切り替わる間隔、それらの周波数の切り替わる順番又は周波数と周波数の切り替わる間隔及び周波数の切り替わる順番の組み合わせを異なるように設定することによって、隣接するゾーンにおいて同時に同一のホッピングチャネルを使用できる。さらに、一部周波数が重なる隣接するホッピングチャネルも使用できるので、周波数利用効率が大幅に改善される。
【手続補正７】
【補正対象書類名】明細書
【補正対象項目名】００１６
【補正方法】変更
【補正の内容】
【００１６】  図１において、シンセサイザ回路１は、第１局部発振波ｆＬ１及び複数の第２局部発振波ｆＬ２１、ｆＬ２２及びｆＬ２３を出力する。
【手続補正８】
【補正対象書類名】明細書
【補正対象項目名】００１８
【補正方法】変更
【補正の内容】
【００１８】  切換回路３は複数の第２局部発振波ｆＬ２１、ｆＬ２２及びｆＬ２３を定められた周期で切り替えて、その出力（ｆｂ＋ｆＬ２１；ｆＬ２２；ｆＬ２３）（ｆＬ２１；ｆＬ２２；ｆＬ２３はｆＬ２１、ｆＬ２２及びｆＬ２３が切り替わることを意味する）を乗算回路４に出力する。ゾーンをさらに細かく分割する場合等においては、前記第２局部発振波ｆＬ２１、ｆＬ２２及びｆＬ２３の切り替わる周期を変える場合もある。前記第２局部発振波ｆＬ２１、ｆＬ２２及びｆＬ２３の切り替わる周期は、受信側ベースバンドの通過帯域幅を１／τＨｚとしたときτ秒より十分短い時間とする。
【手続補正９】
【補正対象書類名】明細書
【補正対象項目名】００２４
【補正方法】変更
【補正の内容】
【００２４】  受信入力は、アンテナ１１、アンテナ切換回路１０、帯域通過ろ波回路１２及び高周波増幅回路１３を介して周波数変換回路１４に入力される。帯域通過ろ波回路１２の通過帯域幅は、通常、第２局部発振波ｆＬ２１、ｆＬ２２及びｆＬ２３の変化する幅を加えた幅を必要とする。
【手続補正１０】
【補正対象書類名】明細書
【補正対象項目名】００３２
【補正方法】変更
【補正の内容】
【００３２】  図２において、Ａ、Ｂ，Ｃ，Ｄ，Ｅ及びＦゾーンの各ゾーンの第２局部発振波ｆＬ２１、ｆＬ２２及びｆＬ２３の切り替える間隔及びその順番は異なるように設定してある。
【手続補正１１】
【補正対象書類名】明細書
【補正対象項目名】００３４
【補正方法】変更
【補正の内容】
【００３４】  図３の複数の局部発振波の周波数は、主にベースバンド回路の周波数及び第１局部発振波の周波数によって決められる。前記複数の局部発振波の周波数の間隔は、通常占有帯域幅となっている。
【手続補正１２】
【補正対象書類名】明細書
【補正対象項目名】００３５
【補正方法】変更
【補正の内容】
【００３５】  ベースバンドの中心周波数を１０ＭＨｚ，占有帯域幅を２０ｋＨｚ、帯域通過ろ波回路１５の中心周波数を６０ＭＨｚ，第１局部発振波の周波数を８００ＭＨｚとすれば、このホッピングチャネルの周波数は８６０ＭＨｚ、８６０．０２ＭＨｚと８６０．０４ＭＨｚとなる。ゾーンによって第２局部発振波の切り替わる間隔が異なるため、異なるゾーンの入力は同期が取れず、拡散され、ベースバンド回路には入力されない。従って、互いに干渉はせず、同一のホッピングチャネルを隣接するゾーンで使用できることになる。
【手続補正１３】
【補正対象書類名】図面
【補正対象項目名】図３
【補正方法】変更
【補正の内容】
【図３】
2015171136.tif 000006